(57)【要約】【課題】ユーザや従業員の作業を妨げることなく、節電意識を確実に高めるための電力余裕度判定装置を提案する。【解決手段】エリア内の積算電力量を取得する取得部１０１〜１０５，１１２と、現在時刻を計測する計時部１０９と、複数の音楽またはサウンドを記憶する記憶部１１１と、予め設定された判定時刻になったときに、予め設定された目標電力量に対する前記積算電力量の余裕度を判定し、判定した前記余裕度に応じて、前記記憶部に記憶された複数の音楽またはサウンドから特定の音楽またはサウンドを選択する制御部１１０とを設ける。【選択図】図１
2014145686.tif 000002
【特許請求の範囲】
【請求項１】
エリア内の積算電力量を取得する取得部と、
現在時刻を計測する計時部と、
複数の音楽またはサウンドを記憶する記憶部と、
予め設定された判定時刻になったときに、予め設定された目標電力量に対する前記積算電力量の余裕度を判定し、判定した前記余裕度に応じて、前記記憶部に記憶された複数の音楽またはサウンドから特定の音楽またはサウンドを選択する制御部と
を備えることを特徴とする電力余裕度判定装置。
【請求項２】
前記制御部は、判定した前記余裕度が小さいほど、テンポの速い音楽を選択する、
請求項１に記載の電力余裕度判定装置。
【請求項３】
請求項１または２に記載の電力余裕度判定装置と、
報知部とを備え、
前記電力余裕度算出装置の前記制御部は、選択した前記特定の音楽またはサウンドを前記報知部によってエリア内に報知する
ことを特徴とする電力余裕度報知システム。
【請求項４】
請求項３に記載の電力余裕度報知システムを用いた電力余裕度報知方法であって、
前記取得部がエリア内の積算電力量を取得する取得ステップと、
前記制御部が、予め設定した判定時刻になったときに、予め設定した目標電力量に対する前記積算電力量の余裕度を判定する判定ステップと、
前記制御部が、判定した前記余裕度に応じて、前記記憶部に記憶された複数の音楽またはサウンドから特定の音楽またはサウンドを選択する選択ステップと、
前記制御部が、選択した前記特定の音楽またはサウンドを前記報知部によってエリア内に報知する報知ステップと
を含むことを特徴とする電力余裕度報知方法。
【請求項５】
前記選択ステップにおいて、前記制御部は、前記判定ステップで判定した前記余裕度が小さいほど、テンポの速い音楽を選択する、請求項４に記載の電力余裕度報知方法。
【発明の詳細な説明】
【技術分野】
【０００１】
本発明は、目標電力量に対する余裕度を判定し、報知するための電力余裕度判定装置、電力余裕度報知システムおよび電力余裕度報知方法に関し、特に、判定した余裕度に応じた音楽またはサウンドを報知することで節電意識を高めようとするものである。
【背景技術】
【０００２】
従来、この種の装置として、例えば特許文献１に記載されるようなものが知られている。特許文献１には、大規模電力需要家における節電に用いるデマンド・コントローラの負荷遮断信号出力用端末装置において、最大デマンド値を契約デマンド値内に維持するために、デマンド・コントローラからの指令により余分負荷を遮断するに際し、負荷側における各種の事情にも対応可能としたものが開示されている。より具体的には、当該端末装置では、負荷遮断指令信号のオンから所定時間遅れて応答して、負荷遮断信号をオン動作状態とする信号応答態様を選択設定できるようにし、所定時間の計時中であることを聴覚的に報知するようにしている。そして、この報知に基き、現場の従業員が、所定時間が経過するまでの間に、必要な遮断準備作業などを円滑に行えるようにしている。
【先行技術文献】
【特許文献】
【０００３】
【特許文献１】特開平７−３３６８８９号公報
【発明の概要】
【発明が解決しようとする課題】
【０００４】
このような装置では、聴覚的な報知がなされることにより、結果的には、ユーザや従業員の節電意識を喚起し得るものの、報知が頻繁になると、節電意識をかえって損うとともに、作業の妨げにもなる、という問題があった。
【０００５】
本発明は、前記の現状に鑑み開発されたもので、ユーザや従業員の作業を妨げることなく、節電意識を確実に高めるための電力余裕度判定装置を提案することを目的とする。
また、本発明は、ユーザや従業員の作業を妨げることなく、節電意識を確実に高めることのできる電力余裕度報知システムを提案することを目的とする。
さらに、本発明は、ユーザや従業員の作業を妨げることなく、節電意識を確実に高めることのできる電力余裕度報知方法を提案することを目的とする。
【課題を解決するための手段】
【０００６】
すなわち、本発明の要旨構成は以下のとおりである。
１．エリア内の積算電力量を取得する取得部と、
現在時刻を計測する計時部と、
複数の音楽またはサウンドを記憶する記憶部と、
予め設定された判定時刻になったときに、予め設定された目標電力量に対する前記積算電力量の余裕度を判定し、判定した前記余裕度に応じて、前記記憶部に記憶された複数の音楽またはサウンドから特定の音楽またはサウンドを選択する制御部と
を備えることを特徴とする電力余裕度判定装置。
ここに、「エリア内」とは、例えば、館内、構内、店内等の、電力を消費する所定の領域内を意味する。また、「サウンド」とは、例えば、音、音響、音声等を意味する。また、「音」とは、例えば、チャイム音等を含む。
【０００７】
２．前記制御部は、判定した前記余裕度が小さいほど、テンポの速い音楽を選択する、
前記１の電力余裕度判定装置。
ここに、「テンポ」とは、速度、拍子または速さを意味する。
【０００８】
３．前記１または２の電力余裕度判定装置と、
報知部とを備え、
前記電力余裕度算出装置の前記制御部は、選択した前記特定の音楽またはサウンドを前記報知部によってエリア内に報知する
ことを特徴とする電力余裕度報知システム。
【０００９】
４．前記３の電力余裕度報知システムを用いた電力余裕度報知方法であって、
前記取得部がエリア内の積算電力量を取得する取得ステップと、
前記制御部が、予め設定した判定時刻になったときに、予め設定した目標電力量に対する前記積算電力量の余裕度を判定する判定ステップと、
前記制御部が、判定した前記余裕度に応じて、前記記憶部に記憶された複数の音楽またはサウンドから特定の音楽またはサウンドを選択する選択ステップと、
前記制御部が、選択した前記特定の音楽またはサウンドを前記報知部によってエリア内に報知する報知ステップと
を含むことを特徴とする電力余裕度報知方法。
【００１０】
５．前記選択ステップにおいて、前記制御部は、前記判定ステップで判定した前記余裕度が小さいほど、テンポの速い音楽を選択する、前記４に記載の電力余裕度報知方法。
【発明の効果】
【００１１】
本発明に係る電力余裕度判定装置によれば、ユーザないし管理員が設定した時刻に、エリア内の目標電力量に対する現在までの消費電力量の余裕度に応じた音楽またはサウンドを選択することができるため、この選択した音楽またはサウンドをエリア内に流すことで、ユーザや従業員の作業を妨げることなく、節電意識を確実に高めることができる。
【００１２】
また、本発明に係る電力余裕度報知システムによれば、ユーザないし管理員が設定した時刻に、エリア内の目標電力量に対する現在までの消費電力量の余裕度に応じた音楽またはサウンドをエリア内に流すことがでるため、ユーザや従業員の作業を妨げることなく、節電意識を確実に高めることができる。
【００１３】
また、本発明に係る電力余裕度報知方法によれば、そのような電力余裕度報知システムを用いて、ユーザないし管理員が設定した時刻に、エリア内の目標電力量に対する現在までの消費電力量の余裕度に応じた音楽またはサウンドをエリア内に流すことがでるため、ユーザや従業員の作業を妨げることなく、節電意識を確実に高めることができる。
【図面の簡単な説明】
【００１４】
【図１】本発明の一実施形態に係る電力余裕度報知システムの概略構成を示す機能ブロック図である。
【図２】本発明の一実施形態に係る電力余裕度報知システムにおいて、余裕度の判定に用いる余裕度と閾値の対応関係を示す図である。
【図３】本発明の一実施形態に係る電力余裕度報知システムの設定処理の要領を示すフローチャートである。
【図４】本発明の一実施形態に係る電力余裕度報知システムの実行処理の要領を示すフローチャートである。
【図５】一般的な１日間におけるデマンド値の推移パターンを示すグラフである。
【図６】図５のグラフについて、１日の消費電力量に対する各時間での消費電力量の割合を示すグラフである。
【図７】図５のグラフについて、１日の消費電力量に対する各時間での消費電力量の累積値の割合を示すグラフである。
【図８】或る月の日毎の累積消費電力のグラフである。
【図９】図８のグラフについて、月全体の消費電力量に対する日毎の累積消費電力量の割合を示すグラフである。
【発明を実施するための形態】
【００１５】
以下、本発明の実施形態について、図面を参照して説明する。
【００１６】
まず、一実施形態に係る電力余裕度報知システムの構成について説明する。図１に示すように、本実施形態に係る電力余裕度報知システム１００は、電力量計１０１と、電力量計１０１に接続されたデマンド計１０２と、複数の電流センサ１０３と、これら電流センサ１０３に接続されたスマートセンサ１０４と、デマンド計１０２およびスマートセンサ１０４に接続されたハブ１０５と、ハブ１０５に接続された制御ＰＣまたはサーバー１０６と、制御ＰＣまたはサーバー１０６に接続された表示モニタ１０８とからなる電力余裕度判定装置を備える。また、電力余裕度報知システム１００は、制御ＰＣまたはサーバー１０６に接続された音響システム（報知部）１０７をさらに備える。複数の電流センサ１０３に接続されたスマートセンサ１０４は複数設置されており、各スマートセンサ１０４がハブ１０５に接続されている。デマンド計１０２は、例えば、館内の消費電力量を計測し、スマートセンサ１０４は、例えば、館内の特定のフロア内の消費電力を計測する。本例では、デマンド計１０２およびスマートセンサ１０４の双方を備えるものとするが、いずれか一方を備えるようにすることも可能である。
【００１７】
制御ＰＣまたはサーバー１０６は、現在時刻を計測する時刻計時部（計時部）１０９と、後述する余裕度の判定と音楽またはサウンドの選択を行う制御部１１０と、複数の音楽またはサウンドを記憶する記憶部１１１と、エリア内の積算電力量を算出する積算電力量算出部１１２とを有する。
【００１８】
デマンド計１０２による消費電力量の計測は、以下のように行われる。すなわち、電力量計１０１が消費電力に応じたパルスを出力し、デマンド計１０２がそのパルスをカウントすることで積算電力量を計量する。例えば、１ｋＷｈの電力を消費したら１パルスを出力する電力量計では、１０パルス出力したら、１０ｋＷｈ消費したことになる。計量された電力量は、ハブ１０５を経由して、制御ＰＣまたはサーバー１０６に送られる。
【００１９】
スマートセンサ１０４による消費電力の計測は、以下のように行われる。まず、分電盤などに電流センサ１０３を取り付け、消費電流をスマートセンサ１０４で計量する。消費電力については、所定の電圧値と掛け合わせることにより求めることができる。計量された消費電力または消費電流はハブ１０５を経由して制御ＰＣまたはサーバー１０６に送られる。
【００２０】
制御ＰＣまたはサーバー１０６では、前記した積算電力量算出部１１２が、デマンド計１０２やスマートセンサ１０４から送られてきた情報と、時刻計時部１０９が計測する現在時刻とに基いて、予めユーザーないし管理員が設定した積算開始時刻から現在時刻までの積算消費電力量を求める。このように、本例では、積算電力量算出部１１２、電力量計１０１、デマンド計１０２、電流センサ１０３、スマートセンサ１０４およびハブ１０５によって、エリア内の積算電力量を取得する取得部が構成されている。
【００２１】
ユーザーは、制御ＰＣまたはサーバー１０６に、消費電力量の余裕度を判定する判定時刻（時刻ａ）を設定することができる。設定可能な判定時刻は１つだけでなく、複数の判定時刻（時刻ａ、時刻ｂ、時刻ｃ等）を設定することも可能である。またユーザーは、月または日における目標消費電力量または目標金額を入力することができ、その情報をもとに時刻ａに対応する目標電力量の基準値（判定時刻が複数ある場合は、時刻ａ、時刻ｂ、時刻ｃ等それぞれに対応する目標電力量の基準値）を算出する。また電力のカウントを開始する積算開始時刻については、日付が変わる０：００ａｍとしてもよいし、その他の時刻に設定してもよい。
【００２２】
制御部１１０では、電力量をカウントし始めてから、判定時刻までに積算した実績値（実際の消費電力量）と、当該判定時刻に対応する基準値とに基いて余裕度を判定する。余裕度は、基準値と実績値の差について閾値を設けて、その閾値との大小関係に基づいて判定する。閾値は複数設けてもよい。具体的には、図２に示すようにして判定する。ケース１では、時刻ａにおける実績値が基準値より小さい閾値ａ（第１の閾値）以下であるため、余裕度を「大」と判断する。ケース２では、時刻ａにおける実績値が閾値ａより大きく、かつ、基準値より大きい閾値ｂ（第２の閾値）以下であるため、余裕度を「小」と判断する。ケース３では、時刻ａにおける実績値が閾値ｂより大きいため、余裕度を「無し」と判定する。また、ユーザーないし管理員は、予め、余裕度が「大」、「小」および「無し」のそれぞれの場合に報知する音楽またはサウンドを記憶部１１１に登録しておく。そして、制御部１１０は、判定時刻に余裕度の判定結果に基づいて、記憶部１１１に登録された複数の音楽またはサウンドから特定の音楽またはサウンドを選択し、選択した音楽またはサウンドを音響システム１０７によってエリア内に報知する。登録する音楽またはサウンドは、余裕度を連想させる音楽またはサウンドとすることが好ましく、余裕度が小さいほど、テンポの速い音楽とすることがより好ましい。音楽またはサウンドは、出荷時から登録されているサンプル音などから指定できるようにしてもよいし、ユーザーないし管理員が任意に登録できるようにしてもよい。
【００２３】
次に、本実施形態に係る電力余裕度報知システム１００の動作要領について、図３および図４を用いて説明する。図３は、余裕度の判定と音楽による報知を実行する実行処理に先立ち、各種の設定を行う設定処理の要領を示すフローチャートであり、図４は、実行処理の要領を示すフローチャートである。
【００２４】
まず、図３に示したように、設定処理においては、ステップＳ１０１で、ユーザーないし管理員が、月または日における目標値を入力する。目標値は金額であってもよいし、積算電力量であってもよい。目標金額が入力された場合、料金プランに照らして目標電力量を算出すればよい。次に、ステップＳ１０２で、ユーザーないし管理員が、目標値に対する積算電力量の余裕度を判定する判定時刻（時刻ａ、時刻ｂ、時刻ｃ等）を登録する。判定時刻は、例えば、毎日における所定の時刻であってもよいし、毎月における所定の日時であってもよい。次に、ステップＳ１０３で、ユーザーないし管理員が、余裕度に対応する音楽またはサウンドを選択または登録する。次に、ステップＳ１０４で、ステップＳ１０１において入力した目標値に基いて、一日あたりの目標電力量を算出する。ひと月あたりの目標金額が入力された場合には、それをもとに、一日あたりに消費可能な目標電力量を算出する。次に、ステップＳ１０５では、積算電力のカウント開始から判定時刻までに消費可能な目標電力量、すなわち、判定時刻に対応する基準値を算出する。判定時刻に対応する基準値は、単位時間あたりの電力量に、各時間における重み付けをして算出してもよい。次に、ステップＳ１０６では、ステップＳ１０５で算出した基準値に基づいて閾値を算出する。この閾値は、余裕度を判定するために使用する。
【００２５】
次に、図４に示したように、実行処理においては、ステップＳ２０１で積算電力量をカウントする。次いで、ステップＳ２０２で、ステップＳ１０２で設定した判定時刻になったか否かを判定する。ＹＥＳの場合、ステップＳ２０３に進む。ＮＯの場合、ステップＳ２０１に戻る。ステップＳ２０３で、ステップＳ１０６において算出した閾値をもとに、積算電力量の余裕度を判定する。次いで、ステップＳ２０４で判定結果に基づいた音楽を流す。音楽はステップＳ１０３で登録された音楽を流す。次いで、ステップＳ２０５で、積算電力量をカウント開始する積算開始時刻になったか否かを判定する。積算開始時刻は、判定時刻が毎日の所定の時刻である場合には、毎日の例えば０：００とし、判定時刻が毎月の所定の日時である場合には、毎月１日の例えば０：００とすることができる。ＹＥＳの場合、ステップＳ２０６に進む。ＮＯの場合、ステップＳ２０１に戻る。ステップＳ２０６で、積算電力量をリセットする。
【００２６】
次に、以上説明した本実施形態に係る電力余裕度報知システム１００を用いて余裕度を報知する場合の具体例を説明する。まずは、１日のある時刻において余裕度を報知するように設定した場合、より具体的には、判定時刻を１３時に設定し、毎日その時刻に余裕度を示す音楽を流す場合について説明する。
【００２７】
消費電力を計測し始めてから、充分に時間が経っていない場合、１日間の消費電力量の推移パターンは分かっていない。そのため、一般的な１日間における推移パターンより設定した判定時刻に対応する積算電力量の基準値を求める。図５に一般的な１日間におけるデマンド値の推移パターンを示す。図６に、１日の消費電力量に対する各時間での消費電力量の割合を示す。図７に、１日の消費電力量に対する各時間での消費電力量の累積値の割合を示す。尚、カウント開始する時刻は日が変わる０：００として計算しているが、開始時刻を任意に変えてもよい。
【００２８】
例えば、月における目標消費電力を２５４，２００ｋＷｈ以内に設定したとする。設定した当月が３１日の場合、１日における使用可能な電力量を単純に日数で割っても良いが、曜日によって消費電力量は異なるため、曜日における重み付けをしてもよい。例えば、ある月における平日が２２日間、土日祝日が９日間であるとする。土日祝日は平日の消費電力量の１／２という重み付けをすると、平日全体日数と土日祝日全体日数で使用可能な消費電力量の比は、２２：９×１／２（＝４４：９）である。従って、平日全体で使用可能な消費電力量は、２５４，２００ｋＷｈ×４４／５３であり、平日一日あたりに使用可能な消費電力量は、２５４，２００ｋＷｈ×４４／５３×１／２２＝９，５９２．５ｋＷｈと求めることができる。積算電力を０：００からカウントし始めて、平日の１３時に余裕度の判定をする場合、図７より、１３時における１日に占める累積電力の割合は４８．３％であるため、９，５９２．５ｋＷｈ×０．４８３＝４，６３３ｋＷｈである。この値を基準値とし、余裕度を判定する閾値を決める。例えば、基準値の−５％を図２で示した閾値ａとし、基準値の＋５％を閾値ｂと設定することができる。
【００２９】
消費電力を計測し始めてから、充分に時間が経った場合は、前日や、一週間前のデータなど過去のデータから１日間における推移パターンを算出し、そのパターンをもとに余裕度を算出することができる。
【００３０】
このように、１日のある時刻において余裕度を報知する場合の実際の使用例としては、スーパーマーケットでの使用が考えられる。スーパーマーケットでは、夏場には、正午からお昼過ぎにかけて、消費電力がピークを迎える。そのため、音楽を放送する時刻を１２：００，１５：００と設定したとする。１２：００になると、目標消費電力量と実際に消費した電力量とに基き、余裕度を判定する。判定結果に基づいて、予め登録された音楽を館内放送を用いて流す。同様に１５：００になったら、消費電力量の余裕度を判定し、その結果に基づいて館内放送を用いて音楽を流す。毎日、同時刻に音楽を流すことにより、従業員は、１２：００および１５：００における消費電力の余裕度を、作業を中断することなく容易に把握することができ、節電に向けたアクションをとりやすくなる。
【００３１】
次に、月間における余裕度の報知を設定した場合の具体例について説明する。
図８に、或る月の日毎の累積消費電力のグラフを示す。また図９は、図８のグラフについて月全体の消費電力量に対する日毎の累積消費電力量の割合を示したものである。
【００３２】
図９において、月初めを０％とし月終わりの１００％の箇所と線で結び基準線（すなわち、基準値からなる線）を算出する。この基準線より閾値線（すなわち、閾値からなる線）を算出する。閾値線は、各日における消費電力量の閾値を算出するのに使用する。例えば、基準線の式をｙ＝（１００％／３１日）ｘとする。式中の「１００％／３１日」は傾きである。閾値線ａ、閾値線ｂの傾きは、基準線の傾きに重み付けをして算出する。例えば閾値線ａの傾きを１００％／３１日×１．１、閾値線ｂの傾きを１００％／３１日×０．９とすることができる。重み付けをした場合、月の前半ではひと月で消費して良いと設定した目標消費電力に対して、余裕度の幅を大きくすることができ、月の後半では余裕度の幅を小さくすることができる。また閾値線は、月の終わりの日において、設定した目標電力量を示す１００％の箇所を通るようにして求める。つまり、閾値線ａは、ｙ＝（１００％／３１日×１．１）ｘ−１０％、閾値線ｂは、ｙ＝（１００％／３１日×０．９）ｘ＋１０％となる。
【００３３】
ここで、月の目標消費電力量を３１，０００ｋＷｈとし、毎月１６日に余裕度の報知をするように設定した場合について説明する。１６日に報知するということは、その前日の１５日間までの余裕度を判定することになる。すなわち、判定時刻は、１６日の０：００となる。そして、この場合、余裕度の報知を行う報知時刻は、判定時刻からずらし、例えば１５：００とすることができる。閾値の算出については、閾値ａは、ｙ＝（１００％／３１日×１．１）×１５日−１０％＝４３．２％より、３１，０００ｋＷｈ×４３．２％＝１３，３９２ｋＷｈと求めることができる。同様に閾値ｂは、ｙ＝（１００％／３１日×０．９)×１５日＋１０％＝５３．５％より、３１，０００ｋＷｈ×５３．５％＝１６，５８５ｋＷｈと求めることができる。
【００３４】
以上説明した本実施形態に係る電力余裕度報知システム１００によれば、ユーザーないし管理員が設定した時刻に、エリア内の目標電力量に対する現在までの消費電力量の余裕度に応じた音楽またはサウンドをエリア内に流すことがでるため、ユーザや従業員の作業を妨げることなく、節電意識を確実に高めることができる。また、毎日所定の時刻に、または毎月所定の日時に余裕度を判定し、エリア内に報知することにより、そのエリア内における従業員や出入り業者の節電意識を高めることができる。また、余裕度の報知に際しては、余裕度に応じたテンポの音楽を流すことにより、従業員や出入り業者が容易に余裕度を把握できるようにすることができる。
【００３５】
上述したところは、本発明の一実施形態を示したにすぎず、特許請求の範囲において、種々の変更を加えることができる。例えば、本例では、ひと月あたりの目標電力量ないし目標料金から一日あたりの目標電力量を算出する場合について説明したが、各日に対して任意の目標電力量および任意の判定時刻をユーザーないし管理員が設定するようにしても良い。また、本例では、余裕度の判定は、判定時刻に対応する基準値に対応する閾値と積算電力量との大小関係を比較することによって行うものとして説明したが、必ずしもこれに限られず、例えば、判定時刻において基準値と積算電力量との差分を算出し、この差分を、別途算出した閾値と比較することによって余裕度を判定することも可能である。
【産業上の利用可能性】
【００３６】
本発明に係る電力余裕度判定装置、電力余裕度報知システムおよび電力余裕度報知方法は、例えば、スーパーマーケット、デパート、オフィスビル、工場など、多くの人が集まる場所で活用することができる。
【符号の説明】
【００３７】
１００  電力余裕度報知システム
１０１  電力量計（取得部）（電力余裕度判定装置）
１０２  デマンド計（取得部）（電力余裕度判定装置）
１０３  電流センサ（取得部）（電力余裕度判定装置）
１０４  スマートセンサ（取得部）（電力余裕度判定装置）
１０５  ハブ（取得部）（電力余裕度判定装置）
１０６  制御ＰＣまたはサーバー（電力余裕度判定装置）
１０７  音響システム（報知部）
１０８  表示モニタ（電力余裕度判定装置）
１０９  時刻計時部（計時部）
１１０  制御部
１１１  記憶部
１１２  積算電力量算出部（取得部）
【図１】
2014145686.tif 000003
【図２】
2014145686.tif 000004
【図３】
2014145686.tif 000005
【図４】
2014145686.tif 000006
【図５】
2014145686.tif 000007
【図６】
2014145686.tif 000008
【図７】
2014145686.tif 000009
【図８】
2014145686.tif 000010
【図９】
2014145686.tif 000011